(57)【特許請求の範囲】
【請求項１】
グリップ(3)の両端部に一対のウエイト(5)(5)を設けたダンベル(2)と、該ダンベルを収納するケース(1)とから成り、前記ケース(1)は、ダンベルを下方から受容するケース本体(7)と、該ダンベルを上方から被うカバー(8)とから構成されており、
前記ケース(1)のケース本体(7)は、床面に定置される定置手段(9)を備えた底面と、前記一対のウエイト(5)(5)を受容する一対の上部開口状の受容部(10)(10)と、グリップ(3)の下方で前記一対の受容部(10)(10)を連結する連結部(11)を構成し、前記連結部(11)は、グリップ(3)の下方に離間するように形成され、該連結部(11)とグリップ(3)の間に手指挿入空間(15)を形成しており、
前記ケース(1)のカバー(8)は、前記受容部に受容された一対のウエイト(5)(5)を上方から被う一対の被蓋部(16)(16)を構成し、一対の被蓋部(16)(16)の間に前記グリップ(3)の上方空間を開放する開放部(17)を形成しており、
それぞれダンベル(2)を収納した２個のケース(1)(1)を床面に定置した状態で、ユーザが前記開放部(17)及び手指挿入空間(15)を介してグリップ(3)を握持することにより、床運動を行うことができるように構成して成ることを特徴とするダンベル収納ケース。
【請求項２】
前記ケース本体(7)の受容部(10)は、ダンベルのウエイト(5)のほぼ下半部に適合する形状の受容凹部(12)を形成し、前記カバー(8)の被蓋部(16)は、ダンベルのウエイト(5)のほぼ上半部に適合する形状のカバー凹部(18)を形成しており、ケース本体(7)にカバー(8)を被冠した状態で、カバー凹部(18)と受容凹部(12)によりダンベルのウエイト(5)を上下から保持するように構成して成ることを特徴とする請求項１に記載のダンベル収納ケース。
【請求項３】
前記カバー(8)は、一対の分割カバー(8a)(8a)により構成され、各分割カバー(8a)を前記受容部(10)の外側でケース本体(7)の背面側縁部に対して開閉自在なヒンジ(21)を介して連結すると共に、該分割カバー(8a)を閉じた状態で該分割カバーをケース本体(7)の正面側縁部に係脱自在に係止する係止手段(22)を設けて成ることを特徴とする請求項１又は２に記載のダンベル収納ケース。
【発明の詳細な説明】
【技術分野】
【０００１】
本発明は、ダンベルを収納した状態で床運動のためのプッシュアップバーとして使用できるようにしたダンベル収納ケースに関する。
【背景技術】
【０００２】
従来、腕、肩、胸等の筋肉強化のための腕立て伏せ、Ｌベント、両足ストレッチ等の床運動を行うためのプッシュアップバーが提供されている。図４に示すように、一般的なプッシュアップバー３１は、前後の座３２、３２に跨設されたアーチ状のグリップ３３を設けており、２個のプッシュアップバー３１、３１を床上に定置した状態で、ユーザの床運動のために供される。図４に例示する腕立て伏せ運動の場合、ユーザはうつ伏せ姿勢で２個のプッシュアップバー３１、３１のグリップ３３を握持し、つま先を立てた状態で両腕を屈伸することにより上体を上下動させ、腕の筋力を鍛練する。
【０００３】
その一方において、従来、腕の筋力を鍛練するためのダンベルが提供されている。ダンベルは、グリップの両端部に一対のウエイトを設けている。ウエイトはグリップに着脱自在に取付けられるのが一般的であり、商品販売のため又は不使用時の保管のためのケースが提供され、グリップとウエイトを分解した状態でケースに収納される。
【０００４】
【特許文献１】特開２００３−２１０６０８号公報
【特許文献２】特開２００４−１２９９９７号公報
【発明の開示】
【発明が解決しようとする課題】
【０００５】
上述のようにプッシュアップバーとダンベルは、それぞれの運動の用途が定められているため、ユーザが両方の運動を望む場合は、プッシュアップバーとダンベルの２つを購入し保管しなければならず、不経済である。
【０００６】
そこで、本発明者は、ダンベルをケースに収納した状態でプッシュアップバーとしても使用できるように構成するのが有益であることを知見した。
【０００７】
この点に関して、特許文献２は、分解したダンベルと支持プレートを収納するケースを開示している。ダンベルは組み立てることにより使用され、その際、支持プレートを床面に設置しておくことにより、休憩時には、ダンベルのウエイトを支持プレートの溝に載置できるように構成している。ダンベルは、床面に直接置くと、ウエイトが丸いため、転動する危険があり、このため支持プレートには転動防止のための溝が形成されている。
【０００８】
従って、特許文献２の場合、支持プレートにダンベルを載置した状態で、ダンベルをプッシュアップバーとして使用することはできず、敢えて使用するときは、ダンベルが支持プレートから脱落する危険がある。
【０００９】
そして、特許文献２の場合、ケース自体は、ダンベルを分解状態で収納するだけのものであるから、多目的又は多機能でない。
【課題を解決するための手段】
【００１０】
本発明は、ダンベルを組み立てた状態で収納するケースであって、商品としてのダンベルを店頭で販売するための販売用ケースとしての機能と、購入者がダンベルを保管するための保管用ケースとしての機能と、更にその他に、ダンベルを収納した状態でプッシュアップバーとして使用できる床運動用の器具としての機能を具備させたダンベル用収納ケースを提供するものである。
【００１１】
そこで、本発明が手段として構成したところは、グリップの両端部に一対のウエイトを設けたダンベルと、該ダンベルを収納するケースとから成り、前記ケースは、ダンベルを下方から受容するケース本体と、該ダンベルを上方から被うカバーとから構成されており、前記ケースのケース本体は、床面に定置される定置手段を備えた底面と、前記一対のウエイトを受容する一対の上部開口状の受容部と、グリップの下方で前記一対の受容部を連結する連結部を構成し、前記連結部は、グリップの下方に離間するように形成され、該連結部とグリップの間に手指挿入空間を形成しており、前記ケースのカバーは、前記受容部に受容された一対のウエイトを上方から被う一対の被蓋部を構成し、一対の被蓋部の間に前記グリップの上方空間を開放する開放部を形成しており、それぞれダンベルを収納した２個のケースを床面に定置した状態で、ユーザが前記開放部及び手指挿入空間を介してグリップを握持することにより、床運動を行うことができるように構成して成る点にある。
【００１２】
本発明の実施形態において、前記ケース本体の受容部は、ダンベルのウエイトのほぼ下半部に適合する形状の受容凹部を形成し、前記カバーの被蓋部は、ダンベルのウエイトのほぼ上半部に適合する形状のカバー凹部を形成しており、ケース本体にカバーを被冠した状態で、カバー凹部と受容凹部によりダンベルのウエイトを上下から保持するように構成している。
【００１３】
また、前記カバーは、一対の分割カバーにより構成され、各分割カバーを前記受容部の外側でケース本体の背面側縁部に対して開閉自在なヒンジを介して連結すると共に、該分割カバーを閉じた状態で該分割カバーをケース本体の正面側縁部に係脱自在に係止する係止手段を設けている。
【発明の効果】
【００１４】
本発明によれば、ダンベル２の下半部をケース本体７の受容部１０、１０に受容させ、カバー８を被冠することにより、ダンベル２がケース１に収納される。従って、この状態で、ケース１を商品としてのダンベルを店頭で販売するための販売用ケースとして使用することができ、しかも、これを購入したユーザがダンベルを保管するための保管用ケースとして使用することができる。
【００１５】
この際、ケース本体７は、ダンベル２の一対のウエイト５、５を受容した受容部１０、１０を連結する連結部１１をグリップ３の下方に離間する構成とされ、該連結部１１とグリップ３の間に手指挿入空間１５を形成しており、また、カバー８は、一対の被蓋部１６、１６の間にグリップ３の上方空間を開放する開放部１７を形成しているので、ケース１の外部からユーザの手指によりグリップ３を握持することができる。そこで、それぞれダンベル２を収納したケース１の２個を床面に定置した状態で、ユーザがグリップ３、３を握持することにより、プッシュアップバーとして床運動を行うために使用できるという効果がある。
【００１６】
そして、請求項２に記載の本発明によれば、ダンベル２をケース１に収納した状態において、ダンベル２のウエイト５、５をカバー８のカバー凹部１８、１８とケース本体７の受容凹部１２、１２により上下から保持するように構成しているので、ダンベル２がケース１の内部で遊動することなく固定保持され、ユーザの床運動時における安全性を確保できる。
【００１７】
更に、請求項３に記載の本発明によれば、カバー８は、一対の分割カバー８ａ、８ａに分割されており、ケース本体７に対して個々の分割カバー８ａを開閉自在かつ係脱自在に構成している。従って、ユーザの床運動中に、万一、一方の分割カバー８ａが開くようなことがあっても、他方の分割カバー８ａが閉止状態を維持しているので、ダンベル２がケース１から飛び出すことはなく、運動中の事故を防止できるという効果がある。
【発明を実施するための最良の形態】
【００１８】
以下図面に基づいて本発明の好ましい実施形態を詳述する。
【００１９】
図２（Ａ）に示すように、本発明のケース１は、組み立てられた状態のダンベル２を収納するように構成されている。
【００２０】
（ダンベルの構成）
前記ダンベル２は、公知のものであり、図２（Ｂ）に示すように、グリップ３の両端部に延設されたネジ軸部４、４にウエイト５、５を外挿し、ナット６により固定している。ウエイト５は、必要に応じて重量を変更できるように複数枚の円盤５ａ、５ｂを重ね合わせている。従って、図例の場合、ダンベル２は、ナット６の着脱によりウエイト５とグリップ３を分解できるが、本発明において、ダンベル自体の構成がこのように限定されるものではなく、要するに、グリップ３の両端部に一対のウエイト５、５を設けたものであれば良い。
【００２１】
（ケースの構成）
図２（Ａ）及び図２（Ｃ）に示すように、ケース１は、ダンベル２を下方から受容するケース本体７と、該ダンベル２を上方から被うカバー８とから構成されている。
【００２２】
（ケース本体の構成）
前記ケース本体７は、床面に定置される定置手段９を備えた底面と、前記一対のウエイト５、５を受容する一対の上部開口状の受容部１０、１０と、前記グリップ３の下方で受容部１０、１０を連結する連結部１１を構成している。
【００２３】
前記定置手段９は、図示省略しているが、ケース本体７の底面の全面を床面に当接させるように形成された平坦面や、ケース本体７の底面の周縁部分を床面に当接させるように形成されたリブ等により構成することができ、ケース本体７の底面を床面に設置した状態で、転倒したり横滑りしたりせず、床面に定置されるものであれば良い。
【００２４】
前記受容部１０、１０は、ダンベル２のウエイト５のほぼ下半部に適合する形状の受容凹部１２を形成している。図例の場合、受容凹部１２は、ウエイト５を構成する複数枚の円盤５ａ、５ｂの下半部を嵌合する形状とされ、受容部１０の外側の側壁に向けてナット６及びネジ軸部４の下半部を嵌合させる小凹部１３を延設し、受容部１０の内側の側壁を貫通してグリップ３の下半部を嵌合させる挿通凹部１４を形成している。
【００２５】
前記連結部１１は、受容部１０、１０よりも高さが低くなるように形成され、グリップ３の下方に離間することにより、該連結部１１とグリップ３の間に手指挿入空間１５（図２（Ａ）参照）を形成する。図例の場合、正面視において、受容部１０、１０と連結部１１の全体が凹形を示す形態に構成され、これにより連結部１１の上方に手指挿入空間１５を形成する。
【００２６】
（カバーの構成）
前記カバー８は、前記ケース本体７の受容部１０、１０に受容された一対のウエイト５、５を上方から被う被蓋部１６、１６を構成し、一対の被蓋部１６、１６の間にグリップ３の上方空間を開放する開放部１７（図２（Ａ）参照）を形成する。
【００２７】
（被蓋部の構成）
前記カバー８の被蓋部１６、１６は、ダンベル２のウエイト５のほぼ上半部に適合する形状のカバー凹部１８、１８を形成している。図例の場合、カバー凹部１８は、ウエイト５を構成する複数枚の円盤５ａ、５ｂの上半部を嵌合する形状とされ、被蓋部１６の外側の側壁に向けてナット６及びネジ軸部４の上半部を嵌合させる小凹部１９を延設し、被蓋部１６の内側の側壁を貫通してグリップ３の上半部を嵌合させる挿通凹部２０を形成している。
【００２８】
図例の場合、カバー８を一対の分割カバー８ａ、８ａに分割することにより被蓋部１６、１６を構成しており、各分割カバー８ａを前記受容部１０の外側でケース本体７の背面側縁部にヒンジ２１を介して連結している。従って、分割カバー８ａ、８ａは、各別のヒンジ２１により受容部１０、１０の上方で開閉可能とされている。尚、ヒンジ２１は、ケース１の全体を合成樹脂により一体成形する場合であれば、成形された薄肉ヒンジにより形成することが可能であり、ケース本体７とカバー８を別体に形成する場合であれば、相互に嵌合される筒部と軸ピンにより形成することが可能である。後者の場合、ヒンジ２１を着脱自在に構成しても良い。
【００２９】
前記分割カバー８ａ、８ａは、ダンベル２を被うように閉じた状態で、ケース本体７の正面側縁部に係脱自在に係止する係止手段２２を設けている。図例の場合、係止手段２２は、ケース本体７の正面壁に形成された係止溝２３と、分割カバー８ａの開閉自由端側に延設した係止爪２４とから構成されているが、その他、種々の構成とすることができる。
【００３０】
（使用方法）
そこで、図２（Ｃ）に示すようにカバー８を開いた状態で、ダンベル２の下半部をケース本体７の受容部１０、１０に受容させ、その後、カバー８を閉じてケース本体７に被冠させ、係止手段２２、２２を係止すると、図２（Ａ）に示すように、ケース１にダンベル２が収納される。この状態で、ダンベル２のウエイト５、５がカバー凹部１８、１８と受容凹部１２、１２により上下から保持されるので、ダンベル２は、ケース１の内部で遊動することなく固定保持される。
【００３１】
このようにダンベル２をケース１に収納した状態で、ケース１は、商品としてのダンベルを店頭で販売するための販売用ケースとして使用され、また、これを購入したユーザがダンベルを保管するための保管用ケースとして使用される。尚、商品の販売展示に際し、カバー８は、ブランド名等を表示した一方の分割カバー８ａを閉じた状態で該ブランド名等を顧客に視認させながら、他方の分割カバー８ａを開くことにより内部のダンベル２を視認させた状態で陳列展示することが可能である。
【００３２】
ところで、ユーザは、ダンベル２を本来の用途に使用する場合は、カバー８を開き、ダンベル２をケース１から取り出すことにより使用できるが、その他、ダンベル２をケース１に収納した状態で、床運動のためのプッシュアップバーとして使用することができる。
【００３３】
図１に示すように、それぞれダンベル２を収納したケース１の２個を床面に定置した状態で、ユーザは、前記開放部１７及び手指挿入空間１５を介してグリップ３を握持することにより、プッシュアップバーとして使用し、床運動を行うことができる。図例は、腕立て伏せ運動を示しており、ユーザがうつ伏せ姿勢で２個のケース１、１に露出されたグリップ３、３を握持し、つま先を立てた状態で両腕を屈伸することにより上体を上下動させ、腕の筋力を鍛練する場合を示しているが、その他、従来のプッシュアップバーと同様に種々の床運動を行うことができる。
【００３４】
この際、ダンベル２は、ウエイト５、５をカバー８のカバー凹部１８、１８とケース本体７の受容凹部１２、１２により上下から保持され、ケース１の内部で遊動することなく固定されているので、ユーザの床運動時における安全性が確保される。
【００３５】
しかも、カバー８は、一対の分割カバー８ａ、８ａに分割されており、ケース本体７に対して個々の分割カバー８ａが開閉自在かつ係脱自在であるから、ユーザの床運動中に、万一、一方の分割カバー８ａが開くようなことがあっても、他方の分割カバー８ａが閉止状態を維持しているので、ダンベル２がケース１から飛び出すことはなく、運動中の事故を防止する。
【図面の簡単な説明】
【００３６】
【図１】本発明の１実施形態の使用状態を示す外観斜視図である。
【図２】本発明の１実施形態を示しており、（Ａ）はダンベルを収納したケースを示す斜視図、（Ｂ）はダンベルを示す斜視図、（Ｃ）はカバーを開いた状態のケースを示す斜視図である。
【図３】本発明に係るケースの１実施形態の外観を示しており、（Ａ）は平面図、（Ｂ）は正面図、（Ｃ）は底面図、（Ｄ）は左側面図、（Ｅ）はカバーを半開き状態とした縦断側面図、（Ｆ）は収納したダンベルを鎖線で示すケースの縦断正面図である。
【図４】従来のプッシュアップバーとその使用状態を示す外観斜視図である。
【符号の説明】
【００３７】
１  ケース
２  ダンベル
３  グリップ
５  ウエイト
７  ケース本体
８  カバー
８ａ  分割カバー
９  定置手段
１０  受容部
１１  連結部
１２  受容凹部
１５  手指挿入空間
１６  被蓋部
１７  開放部
１８  カバー凹部
２１  ヒンジ
２２  係止手段
【図１】
0004987791.tif 000002
【図２】
0004987791.tif 000003
【図３】
0004987791.tif 000004
【図４】
0004987791.tif 000005